(57)【要約】      （修正有）【課題】ロール紙の巻径が変化しても、片手で簡単、確実に切り取り可能にし、また左右・後方のどちらの方向に引っ張っても切り取り可能にし、さらにロール紙の交換を容易にする。【解決手段】回動自在に支承したロール紙をカバーの先端で切り取るようにしたロールペーパホルダであって、上記カバーが、重りと引張ばねとによりロール紙を押圧可能であり、かつその先端に略逆Ｖ字形のカッター部を設けて成り、またカッター部は多数本の針を並設した針群刃か又は中央部分より外側向きの歯先を有する金属製又は樹脂製の鋸歯状物で構成する。【選択図】図１
2005305095.tif 000002
【特許請求の範囲】
【請求項１】
回動自在に支承したロール紙をカバーの先端で切り取るようにしたロールペーパホルダであって、上記カバーが、重りと引張ばねとによりロール紙を押圧可能であり、かつその先端に略逆Ｖ字形のカッター部を備えたことを特徴とするロールペーパホルダ。
【請求項２】
カッター部が、多数本の針を並設した針群刃である請求項１に記載のロールペーパホルダ。
【請求項３】
カッター部が、中央部分より外側向きの歯先を有する鋸歯状物である請求項１に記載のロールペーパホルダ。
【請求項４】
カバーが、直立状態を維持可能である請求項１に記載のロールペーパホルダ。
【発明の詳細な説明】
【技術分野】
【０００１】
本発明は、トイレットペーパ、紙ナプキン等のロール紙を回動自在に支承するロールペーパホルダ（以下、単にペーパホルダという）の改良に関し、特に片手で容易に引き出して所要長さに切断可能にしたペーパホルダに関する。
【背景技術】
【０００２】
従来のペーパホルダ１０は、図６に示すように、トイレ・台所等の壁面に取着する固定板１１と、ロール紙Ｒを回動自在に支承する側板１２、１２と、ロール紙の上面を覆うカバー１３とから成る。上記カバー１３は、後端両側部分を軸Ｓ、Ｓで以て軸着して揺動自在にした本体部１３ａと、この本体部１３ａの先端に彎曲したカッター部１３ｂとから成る。
【０００３】
従来のペーパホルダ１０によるときは、ロール紙は、その切断部分とカッター部１３ｂの先端とが一致して接触しているため、端片を掴むことができず、引き出し難かった。そこで、ロール紙Ｒの下側を押さえて回すと、一端がカバー１３の内側部分に巻き込まれて長く垂れ下がることがあった。また、カバー１３はロール紙の上に単に載置しているにすぎないため、片方の手で紙を切り取ろうとすると、カバーが浮き上がり、他方の手でカバー１３を押さえなければならなかった。よって、半身麻痺、怪我等によって片方の手に機能障害がある人にとって、ロール紙の切り取り動作は極めて困難であり、特にトイレの使用は苦痛を伴うものであった。
【０００４】
この点に鑑みて、片手でも切り取り可能にしたペーパホルダとして、例えば、カバーに螺旋状のばねを設けて、このばねでカバーがロール紙の上部を常時押圧するようにしたものが提案されている（例えば、特許文献１等）。
【特許文献１】特開平５−２２００５８号公報
【発明の開示】
【発明が解決しようとする課題】
【０００５】
特許文献１によるときは、使用に伴ってロール紙の巻径が小さくなるにつれて、カバーの傾斜角度が変化し、ばねの引張力が弱くなる。このため、引き出したロール紙の一端を片手で掴んで左右に引くと、カバーが浮き上がり、片手での切り取りが困難になり、またカバーが垂直状態に維持することができず、ロール紙の交換が困難であるという問題があった。
【０００６】
本発明は、ロール紙の巻径が変化しても、片手で簡単、確実に切り取り可能にし、また左右・後方のどちらの方向に引っ張っても切り取り可能にし、さらにロール紙の交換を容易にすることを課題とする。
【課題を解決するための手段】
【０００７】
本発明は、回動自在に支承したロール紙をカバーの先端で切り取るようにしたロールペーパホルダであって、上記カバーが、重りと引張ばねとによりロール紙を押圧可能であり、かつその先端に略逆Ｖ字形のカッター部を備えて成る（請求項１）。
【０００８】
この手段によるときは、ロール紙の巻径が小さくなっても、ロール紙は重りと引張ばねとが作用するカバーによって常に押圧され、またロール紙の端片の一部が略逆Ｖ字形の谷部に覗いている。よって、この端片を片手で掴んで引き出して左右又は後方に引っ張ると、カバーが浮き上がることなく、所望長さの紙片がカッター部で切り取られる。
【０００９】
本発明において、カッター部は多数本の針を並設した針群刃である構成（請求項２）が好適である。このようにすると、ロール紙の一端を掴んで左右又は後方に引っ張ると、ロール紙の一部が左端又は右端の針に引っ掛かって簡単に切り取られる。
【００１０】
また、カッター部は中央部分より外側向きの歯先を有する鋸歯状物である構成（請求項３）が好適である。このようにすると、ロール紙の一部が左端又は右端の歯先に引っ掛かり易くなってより一層簡単に切り取られる。
【００１１】
さらに、ロール紙の交換の点を考慮すると、カバーを直立状態維持可能にした構成（請求項４）が好適である。具体的構成としては、カバーの枢着点より先端側に引張ばねの上端を取着する手段によって達成することができる。
【発明の効果】
【００１２】
本発明のペーパホルダは、カバーが重りと引張ばねとの協同作用によりロール紙を押圧し、かつロール紙の端片の一部が略逆Ｖ字形の谷部に覗いているから、ロール紙の端片を片手で掴んで左右又は後方に引っ張ると、カバーが浮き上がることなく、所望長さの紙片をカッター部で簡単、かつ確実に切り取ることができる。
【００１３】
また、カッター部を針群刃で構成すると、紙カスが生じることなく紙片を切り取ることができ、また鋸歯状物で構成すると、ロール紙の端片の一部が引っ掛かり易くなり、より一層簡単、かつ確実に切り取ることができる。
【００１４】
カバーを直立状態を維持可能な構成にすると、ロール紙の交換をより一層容易にすることができる。
【００１５】
本発明のペーパホルダは、種々のロール紙のホルダとして使用することができるが、片手でロール紙を切り取ることができるので、特に身障者や要介護者用のトイレに使用すると便利であるという利点がある。
【発明を実施するための最良の形態】
【００１６】
本発明の実施の形態を図面に基づいて説明する。図１において、ペーパホルダＨは、トイレの壁面にネジ・接着剤等で固着する固定板１と、ロール紙Ｒを回動自在に支承可能にした側板２、２と、側板２、２間の上方に軸Ｓ、Ｓで以て揺動自在に設けたカバー３とから成る。
【００１７】
カバー３は、軸Ｓの枢着点より先端側に突起Ｔを設け、この突起Ｔに引張ばね４の上端のフックを取着して、図１（ｂ）に示すように、直立状態を維持可能にして成る。
【００１８】
上記カバー３は、図２に示すように、超音波接着・接着剤等の固着手段で一体に固着した下カバー部３ａと中カバー部３ｂと上カバー部３ｃとで構成し、中カバー部３ｂには左右２個の凹部を設け、この各凹部内に重り５を設けて、引張ばね４と協同してロール紙Ｒを押圧可能にして成る。この場合、重り５と引張ばね４との複合押圧力は少なくとも１００ｇ以上である構成が好適である。というのは、１００ｇ未満になると、引き出したロール紙の切り取り動作によって、カバー３が浮き上がる傾向になり、紙片の切り取りが困難になるからである。
【００１９】
カバー３の先端部分には、図３に示すように、多数本の針６を密着して並設した一列の針群刃から成る略逆Ｖ字形のカッター部Ｃを設ける。この針群刃は、図３（ｂ）に示すように、針先ポイントａが１ｍｍ以下である針６を、針頭ピッチｂが２ｍｍ以下になるように並設した構成にすると、紙カスの発生や怪我の危険を解消し、切取り容易性、確実性を向上することができる。
【００２０】
上記略逆Ｖ字形のカッター部Ｃは、針群刃に代えて金属製又は樹脂製の鋸歯状物で構成することもある。図４（ａ）（ｂ）は金属製鋸歯状物７を示し、図５（ａ）（ｂ）は樹脂製鋸歯状物７１を示す。これら金属製又は樹脂製の鋸歯状物７、７１は、略逆Ｖ字形の中央部分より左右の歯先７ａ又は７１ａがそれぞれ反対方向に向くように成形したもので、全体として１枚又は左右２枚で構成する。
【００２１】
これらの場合において、カバーの先端部分の下面を平面又はテーパ面にすると、使用に伴うロール紙の巻径の変化に関係なく、先端部分とロール紙との間に常に隙間が形成されるから、ロール紙の引き出しが容易になるので好ましい。
【００２２】
また、ロール紙Ｒの支承は、側板２、２の先端内側に上下揺動可能なブラケットを設けて紙芯内に挿・脱する構造にしたが、ロール紙の種類に応じて、側板の内側に凹部設け、この凹部内にロール紙に挿入する支承軸を係脱着する構造等を採用することができる。
【００２３】
引張ばね４は、その上端フックをカバーの突起に係着したが、カバーの枢着点に取着した板状のアームの端部に係着することも可能である。
【００２４】
また、カッター部Ｃには、図２に示すように、後部に圧縮ばねを配して出没自在にした歯先カバー８を針群刃又は鋸歯状物の上に、押え板９を介して設けると、歯先カバー８の先端部分が針群刃又鋸歯状物の歯先を覆うので、怪我の危険が解消し、安全性を向上することができる。
【００２５】
さらに、カッター部Ｃの半分に当たる巾Ｌと略逆Ｖ字形の深さＤの寸法比率は、１：０．０６〜１：０．１０の範囲が好適である。というのは、０．０６未満になるとロール紙の一部がカッター部の左端又は右端の針又は歯先に引っ掛かり難くなる傾向になり、０．１０を越えると紙カスの発生が多くなる傾向になるからである。
【００２６】
針群刃としては、紡績のカード用針布を用いることができる。また、針５は直針を図示したが、その形状としては、先端が下方に屈曲した曲針でもよく、針先の断面形状としては、円形、正方形、矩形等任意の形状のものを用いることができる。
【００２７】
また、金属製鋸歯状物としては、紡績のメタリックワイヤを用いることができる。この構成のときは、針群刃に比較して、材料及び製作コスト面で有利になり、ロール紙の紙質や厚み等に応じて歯先の形状を変更することがより容易に対応することができるという利点がある。
【００２８】
紡績のカード用針布やメタリックワイヤの材質としては、防錆性、強度（剛性）を備えたものが好適である。
【図面の簡単な説明】
【００２９】
【図１】本発明のロールペーパホルダを示し、（ａ）は使用状態の側面図、（ｂ）はロール紙交換時の側面図である。
【図２】カバーの断面図である。
【図３】（ａ）はカバーの平面図、（ｂ）は一部拡大平面図である。
【図４】金属製鋸歯状物を示し、（ａ）は一部省略した拡大平面図、（ｂ）は断面図である。
【図５】樹脂製鋸歯状物を示し、（ａ）は一部省略した拡大平面図、（ｂ）は断面図である。
【図６】従来のロールペーパホルダの使用状態を示す側面図である。
【符号の説明】
【００３０】
Ｃ・・・カッター部
Ｈ・・・ペーパホルダ
Ｒ・・・ロール紙
Ｓ・・・軸
Ｔ・・・突起
ａ・・・針先ポイント
ｂ・・・針頭ピッチ
１・・・固定板
２・・・側板
３・・・カバー
３ａ・・下カバー部
３ｂ・・中カバー部
３ｃ・・上カバー部
４・・・引張ばね
５・・・重り
６・・・針
７・・・金属製鋸歯状物
７ａ・・歯先
７１・・樹脂製鋸歯状物
７１ａ・歯先
８・・・歯先カバー
９・・・押え板
【図１】
2005305095.tif 000003
【図２】
2005305095.tif 000004
【図３】
2005305095.tif 000005
【図４】
2005305095.tif 000006
【図５】
2005305095.tif 000007
【図６】
2005305095.tif 000008